(57)【特許請求の範囲】
【請求項１】
ＲＤＳ信号を放送信号に重畳して送信するラジオ放送を受信するラジオ受信機であって、
受信周波数を変更する受信周波数変更手段と、その受信周波数変更手段からの変更信号に応じてＲＤＳ信号の有無を確認する確認手段と、前記確認手段によって前記ＲＤＳ信号の存在が確認されたときにＲＤＳ信号をメモリするメモリ手段と、受信した前記ＲＤＳ信号の手動によるメモリ指示の受付を一定時間の間禁止する禁止手段と、を備え、前記ＲＤＳ信号が存在しないときには、前記禁止手段を動作させず、手動によるメモリ指示を受け付けて放送局の周波数のメモリ動作を可能としたことを特徴とするラジオ受信機。
【請求項２】
請求項１記載のラジオ受信機において、さらに、手動によるメモリ指示の受付を禁止する状態であることを報知する報知手段を備えたことを特徴とするラジオ受信機。
【請求項３】
請求項１または２記載のラジオ受信機において、前記ＲＤＳ信号の読み込みが終了したときに、手動によるメモリ指示の受付ができない状態を解除することを特徴とするラジオ受信機。
【発明の詳細な説明】
【０００１】
【発明の属する技術分野】
本発明は、ＲＤＳ（ラジオ データ システム）放送のように放送関連情報データを放送信号に重畳して送信されるラジオ放送を受信するラジオ受信機に関する。
【０００２】
【従来の技術】
放送関連情報データを重畳して送信されるラジオ放送としてＲＤＳ放送があり、従来のＲＤＳ受信機は、現在受信している放送局の周波数とＰＳ（放送局名）を無条件にメモリに書き込んでいる。
この方法だと、ＲＤＳ局を同調後ＰＳが確定（ＰＳデータの読み込み完了）する（受信機の回路動作上、ＰＳが確定するのに約３秒の時間が必要である）前に、メモリ書き込み操作が完了してしまうために、その放送局がＰＳデータを送信しているにもかかわらずＰＳ無しの放送局としてメモリされてしまうことがあるという問題があった。
【０００３】
これは、図４（Ａ）のフローチャートに示すように、図１におけるキー操作部８にあるＴＵＮＩＮＧ ＵＰキーが操作されると、まずＳ４１で、マイクロコンピュータ５はＰＬＬ回路（例えばＰＬＬ ＩＣ）に周波数データを出力するが、図４（Ｂ）に示すように、ＭＥＭＯＲＹキーがオン操作されると、Ｓ５１で、マイクロコンピュータが動作モードをメモリ書き込みモードにし、常にＭＥＭＯＲＹキーの操作を受けつけているためである。
【０００４】
【発明が解決しようとする課題】
本発明の目的は、上記従来の問題点を解決し、放送関連情報データの良好なメモリ動作を行なうラジオ受信機を提供することにある。
【０００５】
【課題を解決するための手段】
本発明によるラジオ受信機は、ＲＤＳ信号を放送信号に重畳して送信するラジオ放送を受信するラジオ受信機であって、受信周波数を変更する受信周波数変更手段と、その受信周波数変更手段からの変更信号に応じてＲＤＳ信号の有無を確認する確認手段と、前記確認手段によって前記ＲＤＳ信号の存在が確認されたときにＲＤＳ信号をメモリするメモリ手段と、受信した前記ＲＤＳ信号の手動によるメモリ指示の受付を一定時間の間禁止する禁止手段と、を備え、前記ＲＤＳ信号が存在しないときには、前記禁止手段を動作させず、手動によるメモリ指示を受け付けて放送局の周波数のメモリ動作を可能としている。
【０００６】
また、本発明によるラジオ受信機は、さらに、手動によるメモリ指示の受付を禁止する状態であることを報知する報知手段を備えたものである。
【０００７】
また、本発明によるラジオ受信機は、前記ＲＤＳ信号の読み込みが終了したときに、手動によるメモリ指示の受付ができない状態をを解除するものである。
【００１１】
【作用】
受信周波数の変更または放送に関するデータの存在を確認すると、禁止手段は、その変更（または確認）信号に応じて、受信した放送に関するデータの手動によるメモリ動作を一定時間の間禁止する。また、メモリ動作禁止状態にあることを報知手段（例えば表示器に設けたメモリ禁止表示用ＬＥＤ）で報知する。また、データの読み込みを終了したときに手動によるメモリ動作を禁止させる状態を解除する。
【００１２】
【発明の実施の形態】
図１は本発明によるラジオ受信機としてＲＤＳ受信機の一実施例を示すブロック図である。
図１において、１はフロントエンド、２はＩＦ増幅及び検波回路、３はステレオ復調回路、４はＲＤＳ復調回路、５はマイクロコンピュータ、６はＰＬＬ回路、７は表示器、８はキー操作部である。
ＲＤＳ復調回路４は、バンドパスフィルタ部（Ｂ．Ｐ．Ｆ．）４ａと、ＰＬＬ部４ｂと、デコーダ４ｃからなる。
【００１３】
上記の構成において、マイクロコンピュータ５は、ＰＬＬ回路６に周波数データを出力し受信周波数を決定する。
ＩＦ増幅及び検波回路２は、放送局を受信したときに「Ｈ」レベルから「Ｌ」レベルに変化するＳＤ信号をマイクロコンピュータ５に供給し、放送局を受信したことを知らせる。
ＲＤＳ復調回路４は、ＩＦ増幅及び検波回路２で検波出力されたＲＤＳ信号がＢ．Ｐ．Ｆ．４ａを介して入力されると、まずＰＬＬ部４ｂで復調し、その後、デコーダ４ｃで、データをデコードし、マイクロコンピュータ５にデータを読み取るためのクロック信号といっしょにＲＤＳデータを送る。
【００１４】
マイクロコンピュータ５は、ＲＤＳデータをクロック信号のタイミングで読み込み、まずＲＤＳ放送局ということを判断し、その後、すべてのデータを読み込む。マイクロコンピュータ５は、その他にキー操作部８のキー操作に対応して処理したりそれに伴う表示信号を表示器７に供給して表示させたりする。
ここで、ＰＬＬ部４ｂのロックを検出した検出信号でＲＤＳ放送局かどうかの判断を行なっても良い。
【００１５】
次に、上記の動作を図２に示すフローチャートを用いて説明する。
キー操作部８にあるＴＵＮＩＮＧ キーが操作されると、まず、Ｓ１で、マイクロコンピュータ５はＰＬＬ回路６に周波数データを出力し、次いでＳ２で、マイクロコンピュータ５は、ＩＦ増幅及び検波回路２からのＳＤ信号が「Ｌ」レベルか否かを判定する。Ｓ２の答がイエスならばＳ３に進み、ノーならばＳ１に戻る。
次いでＳ３で、マイクロコンピュータ５は、ＩＦカウントがＯＫか否か、すなわちＩＦ周波数が所定の周波数（ここでは１０．７ＭＨｚ）か否かを判定し（ここでは、より正確な受信の判断をしている）、イエスならばＳ４に進み、ノーならばＳ１に戻る。
次いでＳ４で、マイクロコンピュータ５は、ＲＤＳ信号が有るか否かを判定し、イエスならばＳ５に進み、ノーならば（ＲＤＳ放送でない場合）作業を終了する。
次いでＳ５で、マイクロコンピュータ５は、その内部にあるＭＥＭＯＲＹキー禁止タイマを起動し（ここでは約３秒）、タイマ動作中、キー操作部８にあるＭＥＭＯＲＹキーの操作を禁止する。
【００１６】
次いでＳ６で、マイクロコンピュータ５は表示器７に設けたメモリ禁止表示部、例えば発光ダイオード（ＬＥＤ）とか蛍光表示管等、を点滅動作させる。
次いでＳ７で、マイクロコンピュータ５は、ＰＳデータを確定（ＰＳデータの読み込みが完了）したか否かを判定し、イエスならばＳ９に進み、ノーならばＳ８に進む。
Ｓ８では、マイクロコンピュータ５は、ＭＥＭＯＲＹキー禁止タイマがカウント終了したか否かを判定し、イエスならばＳ１０に進み、ノーならばＳ６に戻る。
Ｓ９では、マイクロコンピュータ５はＭＥＭＯＲＹキー禁止タイマをクリアし、次いでＳ１０で、表示器７のメモリ禁止表示部を消灯させる。
以後、キー操作部８にあるＭＥＭＯＲＹキーの操作が受け付けられ、現在受信している放送局の周波数とＰＳ（放送局名）がマイクロコンピュータ５の内部メモリに書き込まれる。
【００１７】
以上述べたように、例えばＰＳが確定する間、ＭＥＭＯＲＹキーを一定時間禁止することによって、通常の受信状態にあるＲＤＳ放送局は確実に周波数とＰＳをメモリ（例えばプリセットメモリ等）することができる。
ここで、Ｓ４のＲＤＳ信号の有無の判断をしないでＳ３から直接Ｓ５に進むようにしても良い。
また、Ｓ４とＳ５の間にＰＳデータの有無を確認し、有の場合はＳ５に進み、無の場合は作業を終了するようにしても良い。ＰＳデータの有無はＲＤＳデータのタイプ０Ａまたタイプ０Ｂを見れば確認できる。
【００１８】
【実施例】
次に、図３に示す他の実施例のフローチャートについて説明する。
図３（Ａ）に示すように、例えばキー操作部８にあるＴＵＮＩＮＧ ＵＰキーが操作されたような場合、ＰＬＬ回路６にデータを出力する時（Ｓ２１）、その度に、マイクロコンピュータ５において、ＰＳが確定するのに十分な一定時間（例えば３秒）カウント時間を有するＭＥＭＯＲＹキー禁止タイマを起動するようにしておく（Ｓ２２）。
【００１９】
一方、図３（Ｂ）に示すように、キー操作部８にあるＭＥＭＯＲＹキーが操作された場合、マイクロコンピュータ５は、ＭＥＭＯＲＹキー禁止タイマがカウント中か否かを判定し、ノーならばＳ３２で、動作モードをメモり書き込みモードにするが、ＭＥＭＯＲＹキー禁止タイマがカウントアップするまでは、ＭＥＭＯＲＹキーの操作を無効にする。
このようにして、チューニング動作後一定時間メモリ書き込みができないようにする。このとき、ＭＥＭＯＲＹキー禁止タイマがカウントしている間、メモリ禁止表示を点滅させても良い。また、ＰＳデータが確定したときにＭＥＭＯＲＹキー禁止タイマをクリアするようにしても良い。
【００２０】
なお、上記の記載ではＲＤＳのＰＳデータについて説明したが、他のデータ、例えばＰＴＹデータ等についても同様である。
【００２１】
【発明の効果】
本発明によるラジオ受信機によれば、放送関連情報データの良好なメモリ動作を行なうことができる。
【図面の簡単な説明】
【図１】本発明によるラジオ受信機の一実施例を示すブロック図である。
【図２】図１のブロック図の動作を説明するフローチャートである。
【図３】（Ａ）及び（Ｂ）は図１のブロック図の他の動作を説明するフローチャートである。
【図４】（Ａ）及び（Ｂ）は従来のラジオ受信機の動作を説明するフローチャートである。
【符号の説明】
１  フロントエンド
２  ＩＦ及び検波回路
３  ステレオ復調回路
４  ＲＤＳ復調回路
４ａ バンドパスフィルタ部（Ｂ．Ｐ．Ｆ．）
４ｂ ＰＬＬ部
４ｃ デコーダ
５  マイクロコンピュータ
６  ＰＬＬ回路
７  表示器
８  キー操作部
【図１】
0003742883.tif 000002
【図２】
0003742883.tif 000003
【図３】
0003742883.tif 000004
【図４】
0003742883.tif 000005